(57)【要約】【課題】現金自動預払機による取引に用いる取引データを一度入力すれば、簡易な操作で現金自動預払機における取引時間を短縮する手段を提供する。【解決手段】自動取引システムが、顧客の携帯電話とこの携帯電話と赤外線通信により直接通信可能に構成された現金自動預払機とを備え、顧客が現金自動預払機による取引を行うときに携帯電話に登録されている振込情報等の取引情報を現金自動預払機に直接入力し、現金自動預払機は直接受信した取引情報によりその取引処理を行う。【選択図】        図１
2005338964.tif 000002
【特許請求の範囲】
【請求項１】
顧客の携帯端末と、該携帯端末と直接通信可能に構成された自動取引装置とを備え、
前記自動取引装置は、前記携帯端末からの取引情報を直接受信する取引情報直接受信手段を備え、
前記携帯端末は、取引情報を格納する取引情報格納手段と、前記取引情報格納手段から取引情報を読出して表示する取引情報表示手段と、前記表示した取引情報が選択されたときに該当する取引情報を前記自動取引装置へ直接送信する取引情報直接送信手段とを備えることを特徴とする自動取引システム。
【請求項２】
請求項１において、
前記自動取引装置は、取引情報が前記携帯端末以外の方法で入力されたときに、該入力された取引情報を前記携帯端末へ直接転送する取引情報直接転送手段を備え、
前記携帯端末は、前記取引情報の転送を受信したときに、該取引情報を前記取引情報格納手段に書込む取引情報書込手段を備えることを特徴とする自動取引システム。
【請求項３】
請求項１または請求項２において、
前記自動取引装置は、前記携帯電話に格納されているプログラムを自動起動する指令を送信する自動起動指令送信手段を備え、
前記携帯端末は、前記自動起動指令を直接受信して該当するプログラムを起動するプログラム起動手段を備えることを特徴とする自動取引システム。
【請求項４】
請求項１、請求項２または請求項３において、
前記取引情報が、振込情報であることを特徴とする自動取引システム。
【請求項５】
請求項４において、
振込先サーバを設け、
前記携帯端末は、前記振込情報を事前に入力する振込情報事前入力手段と、前記振込先サーバに金融機関情報の送信依頼を送信する金融機関情報送信依頼送信手段とを備え、
該振込先サーバは、金融機関情報を格納する金融機関情報格納手段と、前記金融機関情報送信依頼を受信したときに、金融機関情報格納手段から金融機関情報を読出して前記携帯端末へ送信する金融機関情報送信手段とを備えることを特徴とする自動取引システム。
【発明の詳細な説明】
【技術分野】
【０００１】
本発明は、携帯端末を用いて金融機関等の店舗に設置された自動取引装置における取引を行う自動取引システムに関する。
【背景技術】
【０００２】
従来の携帯端末として携帯電話を用いた現金自動預払機による取引は、顧客が予め金融機関に自身の携帯電話の電話番号を登録しておき、取引を行う場合に予め最寄りの金融機関の店舗に電話をかけて、携帯電話のテンキー等を用いて取引種別や取引金額等や口座番号を入力して取引の予約を行い、店舗の主制御装置は入力された情報と自動識別された電話番号とをホストコンピュータに転送して取引の可否を問合せ、取引が可能であればその予約を成立させてこれをメモリに取引予約情報として格納する。
【０００３】
そして、顧客が予約した店舗に到着すると、携帯電話から定期的に発信される電話番号により顧客を検出して顧客に取引を行う現金自動預払機を表示板により通知し、顧客が現金自動預払機に携帯電話を挿入するとその電話番号により本人確認を行い、メモリに格納している取引予約情報により取引を実行して現金自動預払機における取引時間の短縮を図っている（例えば、特許文献１参照。）。
【特許文献１】特開２００１−１７５７８３号公報（第３頁段落００１２−第４頁段落００２０、第１図）
【発明の開示】
【発明が解決しようとする課題】
【０００４】
しかしながら、上述した従来の技術においては、取引の度に予め携帯電話から最寄りの金融機関の店舗に電話をかけて取引種別や取引金額、口座番号等を入力して取引の予約を行っているため、特定の金額を複数回出金する場合や何回も同じ振込先に振込む必要がある場合には同じ内容等を何回も入力しなければならないという問題がある。
特に振込取引の場合は入力する項目が多いためにデータの入力に時間を要し、顧客の利便性を低下させるという問題がある。
【０００５】
本発明は、上記の問題点を解決するためになされたもので、現金自動預払機による取引に用いる取引データを一度入力すれば、簡易な操作で現金自動預払機における取引時間を短縮する手段を提供することを目的とする。
【課題を解決するための手段】
【０００６】
本発明は、上記課題を解決するために、自動取引システムが、顧客の携帯端末と、該携帯端末と直接通信可能に構成された自動取引装置とを備え、前記自動取引装置は、前記携帯端末からの取引情報を直接受信する取引情報直接受信手段を備え、前記携帯端末は、取引情報を格納する取引情報格納手段と、前記取引情報格納手段から取引情報を読出して表示する取引情報表示手段と、前記表示した取引情報が選択されたときに該当する取引情報を前記自動取引装置へ直接送信する取引情報直接送信手段とを備えることを特徴とする。
【発明の効果】
【０００７】
このように、本発明は、現金自動預払機における取引の取引情報として携帯端末に登録されている取引情報を直接送信してその取引データを入力できるようにしたことによって、入力操作を簡易なものにすることができ、取引時間を短縮して現金自動預払機の稼動効率を向上させることができると共に一度登録した取引情報は何度でも読出して同様の取引を行うことができ、顧客の取引データの入力に伴う煩わしさを解消することができるという効果が得られる。
【発明を実施するための最良の形態】
【０００８】
以下に、図面を参照して本発明による自動取引システムの実施例について説明する。
【実施例１】
【０００９】
図１は実施例１の現金自動預払機を示すブロック図、図２は実施例１の現金自動預払機を示す斜視図、図３は実施例１の携帯電話を示すブロック図である。
図１、図２において、１は自動取引装置としての現金自動預払機であり、銀行等の金融機関や郵政公社、コンビニエンスストア等（金融機関等という。）の営業店や郵便局等の店舗に設置され、顧客との間で現金の取引を自動で行う。
【００１０】
２は金融機関等のセンタに設置された上位装置としてのホストコンピュータであり、店舗に設置されている現金自動預払機１と専用回線や電話回線等の通信回線３を介して接続しており、顧客の口座の口座番号やその暗証番号、口座残高等の顧客情報を保有して顧客の口座を管理する。
４は現金自動預払機１の主制御部であり、通信部５によって通信回線３を介してホストコンピュータ２と接続しており、現金自動預払機１内の各部を制御して取引処理等を実行すると共にデータ通信等も制御する。
【００１１】
６は記憶部であり、主制御部４が実行するプログラムやそれに用いる各種のデータおよび主制御部４による処理結果等が格納される。
７は顧客操作部であり、ＬＣＤ等の表示画面とタッチパネル等の位置信号検出手段との組合せで構成されており、表示画面に取引選択画面や各種の入力画面、顧客の処置を促す画面等を表示する一方、位置信号検出手段により顧客からの入力を受付ける。
【００１２】
８はカード取扱部であり、カード挿入口８ａから挿入された顧客のキャッシュカード等の取引カードの磁気ストライプに記録されているカード情報を読み書きする機能を有すると共に取引明細票等を印刷する機能を有している。
９は通帳取扱部であり、通帳挿入口９ａから挿入された顧客の通帳の磁気ストライプに記録されている通帳情報を読み書きする機能を有すると共に取引内容等を顧客の通帳に記帳する機能を有している。
【００１３】
１０は紙幣入出金部であり、紙幣入出金口１０ａによって顧客が投入した紙幣を受入れ、これを鑑別および計数して収納し、顧客に支払う紙幣を計数して紙幣入出金口１０ａから排出して顧客に引渡す機能を有している。
１１は硬貨入出金部であり、硬貨入出金口１１ａによって顧客が投入した硬貨を受入れ、これを鑑別および計数して収納し、顧客に支払う硬貨を計数して硬貨入出金口１１ａから排出して顧客に引渡す機能を有している。
【００１４】
１２は赤外線通信部であり、赤外線が電磁波の１種であることを利用してこれにより近距離のデータ通信を行う機能を有しており、顧客の携帯端末としての携帯電話２０との間で直接データ通信を行う。
図３において、２１は携帯電話２０の携帯制御部であり、携帯電話２０内の各部を制御して無線通信部２２によりマイクやスピーカ等から構成される通話部２３による電話通信を可能にすると共にデータ通信等も制御する。
【００１５】
２４は携帯記憶部であり、携帯制御部２１が実行するプログラムやそれに用いる各種のデータおよび携帯制御部２１による処理結果等を格納する機能を有している。
２５は携帯表示部であり、ＬＣＤ等の表示画面を有しており、携帯制御部２１が生成した文字や画像等の表示データを表示する機能を有している。
２６は携帯入力部であり、テンキーや十字キー、各種の操作ボタン等を備えており、顧客が電話番号等を入力する他、顧客が取引情報等を入力または選択する入力手段として機能する。
【００１６】
２７は携帯赤外線通信部であり、赤外線による近距離のデータ通信により現金自動預払機１の赤外線通信部１２との間で直接データの送受信を行う機能を有している。
本実施例で用いる赤外線通信は、例えばＩｒＤＡ（Ｉｎｆｒａｒｅｄ  Ｄａｔａ  Ａｓｓｏｃｉａｔｉｏｎ）が定めた通信規格により相互のデータ通信が可能なように構成されている。
【００１７】
上記の現金自動預払機１の記憶部６には、予め顧客との間で各種の取引を行うための通常の取引処理プログラムに、赤外線通信により直接携帯電話へ振込情報等の取引情報を転送する機能および携帯電話から直接受信した取引情報を基に各種の取引を行う機能等を有するアプリケーションプログラムが追加された業務処理プログラムが格納されており、主制御部４と業務処理プログラムの各ステップにより形成されるハードウェアとして各種の機能手段が形成される。
【００１８】
また、携帯電話２０の携帯記憶部２４には、顧客が金融機関等に口座を開設した時に、金融機関と契約して金融機関から供給される赤外線通信により振込情報等の取引情報を受信して携帯記憶部２４に格納する機能を有する取引情報登録サブプログラムおよび登録されている取引情報を赤外線通信により送信して直接現金自動預払機１へ入力する機能を有する取引情報送信サブプログラム等を有する取引情報処理プログラムが格納されており、携帯制御部２１と取引情報処理プログラムの各ステップにより形成されるハードウェアとして各種の機能手段が形成される。
【００１９】
更に、携帯記憶部２４には、取引情報を登録するための取引情報登録エリアが確保されている他、取引情報処理プログラムで用いるデータとして上記の契約のときに金融機関から発行される取引カードのカード情報と同様の個人情報、つまり顧客の口座の金融機関等の名称（金融機関名という）、店舗の名称（支店名という。）、口座番号等の情報が予め格納されている。これにより携帯電話２０は顧客の取引カードとしての機能を果たすことができる。
【００２０】
上記の構成の作用について説明する。
本説明においては、取引種別とその取引データで構成される情報を取引情報という。本実施例の取引情報は、取引種別を振込取引、その取引データを振込先金融機関名とその支店名、振込先口座番号とその科目、受取人氏名、依頼人氏名および振込金額とした取引情報（振込情報という。）である。
【００２１】
顧客が携帯電話２０を用いて取引情報としての振込情報を携帯記憶部２４に登録する振込情報登録処理について、図４に示す流れ図を用いステップに従って説明する。なおステップ名は携帯電話２０の場合をＳＫで、現金自動預払機１の場合をＳＡで表す。
ＳＡ１、現金自動預払機１の主制御部４は、業務処理プログラムにより顧客操作部７の画面に取引種別を選択するための図５に示す取引選択画面を表示して待機している。
【００２２】
取引選択画面には、取引種別としての出金取引のための「お引き出し」ボタン、入金取引のための「お預け入れ」ボタン、振込取引のための「お振り込み」ボタン、通帳に未記入の取引データを記帳する通帳記帳取引のための「通帳記帳」ボタン、口座残高を照会する残高照会取引のための「残高照会」ボタンおよび携帯電話２０からの取引情報の入力を受付けるための「携帯入力」ボタン等の取引を選択するための取引選択ボタンが表示されている。
【００２３】
本実施例では、顧客は顧客操作部７の画面から取引種別として振込取引を選択し、タッチパネルによって「お振り込み」ボタンを押下する。
ＳＡ２、これをタッチパネルからの位置信号等により認識した主制御部４は、顧客操作部７の画面に決済方法選択画面を表示する。
決済方法選択画面には、決済方法の選択を促す旨の文言とその操作方法、取引カードによる決済を選択するための「カード振込」ボタンおよび現金による決済を選択するための「現金振込」ボタン等の決済選択ボタンが表示される。本実施例では顧客は取引カードによる決済を行うために「カード振込」ボタンを押下する。
【００２４】
ＳＡ３、「カード振込」ボタンが押下されたことを認識した主制御部４は、取引カードの挿入を促す旨の文言等を表示したカード挿入依頼画面を表示し、顧客はこれに従って取引カードをカード取扱部８に挿入する。
この時、主制御部４はカード取扱部８によって取引カードの磁気ストライプに記録されたカード情報を読取る。
【００２５】
ＳＡ４、カード情報を読取った主制御部４は、顧客操作部７の画面に暗証番号入力画面を表示して顧客に暗証番号の入力を促す。
暗証番号入力画面には、暗証番号の入力を促す旨の文言と暗証番号表示欄、暗証番号を入力するためのテンキーおよび入力の間違いを訂正するための「訂正」ボタン等が表示される。顧客はテンキー等によって暗証番号を入力する。
【００２６】
ＳＡ５、暗証番号の入力を認識した主制御部４は、この暗証番号の入力を受付けると共に、振込取引の取引データ（振込取引データという。）の入力を受付けるために顧客操作部７の画面に図６に示す振込取引データ入力方法選択画面を表示する。
振込取引データ入力方法選択画面には、現金自動預払機１の顧客操作部７によって手動で振込取引データを入力するための「手動入力」ボタン、振込カードにより振込取引データを入力するための「振込カード」ボタン、予め申請してホストコンピュータ２に登録されている振込取引の登録データを用いて振込取引データを入力するための「登録データ」ボタン等が表示される。  本実施例では顧客は顧客操作部７の画面から「手動入力」ボタンを押下する。
【００２７】
ＳＡ６、「手動入力」ボタンが押下されたことを認識した主制御部４は、顧客操作部７の画面に振込先金融機関名等を入力するための振込先入力画面を表示する。
振込先入力画面には、振込先の金融機関名とその支店名の表示欄およびこれらを入力するためのカナ文字キー、入力の間違いを訂正するための「訂正」ボタン、入力終了を指示するための「確認」ボタン等が表示され、顧客はカナ文字キー等によって振込先の金融機関名等を入力して「確認」ボタンを押下する。
【００２８】
ＳＡ７、振込先金融機関名等が入力されたことを認識した主制御部４は、顧客操作部７の画面に振込先口座等を入力するための振込先口座入力画面を表示する。
振込先口座入力画面には、振込先の口座番号とその科目の表示欄およびこれらを入力するためのテンキー、入力の間違いを訂正するための「訂正」ボタン、入力終了を指示するための「確認」ボタン等が表示され、顧客はテンキー等によって振込先の口座番号等を入力して「確認」ボタンを押下する。
【００２９】
ＳＡ８、振込先口座番号名等が入力されたことを認識した主制御部４は、顧客操作部７の画面に受取人氏名を入力するための受取人入力画面を表示する。
受取人入力画面には、受取人氏名の表示欄およびこれを入力するためのカナ文字キー、入力の間違いを訂正するための「訂正」ボタン、入力終了を指示するための「確認」ボタン等が表示され、顧客はカナ文字キー等によって受取人氏名を入力して「確認」ボタンを押下する。
【００３０】
ＳＡ９、受取人氏名が入力されたことを認識した主制御部４は、顧客操作部７の画面に依頼人氏名等を入力するための依頼人入力画面を表示する。
依頼人入力画面には、依頼人氏名とその連絡先等の表示欄およびこれらを入力するためのテンキーやカナ文字キー、入力の間違いを訂正するための「訂正」ボタン、入力終了を指示するための「確認」ボタン等が表示され、顧客はテンキーやカナ文字キー等によって依頼人氏名等を入力して「確認」ボタンを押下する。
【００３１】
ＳＡ１０、依頼人氏名等が入力されたことを認識した主制御部４は、顧客操作部７の画面に振込金額入力画面を表示する。
振込金額入力画面には、振込金額表示欄、振込金額を入力するためのテンキー、金額の単位を入力するための「万」キー、「千」キー、「円」キーおよび入力の間違いを訂正するための「訂正」ボタン等が表示され、顧客はテンキー等によって振込金額を入力して「円」ボタンを押下する。
【００３２】
ＳＡ１１、「円」ボタンの押下により振込金額が入力されたことを認識した主制御部４は、入力された振込取引データを確定するために、顧客操作部７の画面に振込取引データ確認画面を表示する。
振込取引データ確認画面には、振込情報の確認を促す旨の文言とその訂正の場合の操作方法、入力された振込取引データである振込先金融機関名とその支店名、振込先口座番号とその科目、受取人氏名、依頼人氏名とその連絡先および振込金額、並びに振込情報の訂正を指示するための「訂正」ボタン、表示内容を確認したことを指示するための「確認」ボタン等が表示される。
【００３３】
顧客は振込取引データを訂正するときは訂正する項目を選択して「訂正」ボタンを押下する。表示内容を確認して振込取引データを確定するときは「確認」ボタンを押下する。
ＳＡ１２、主制御部４は「確認」ボタンが押下されたことを認識したときは振込取引データが確定されたとしてステップＳＡ１４へ、「訂正」ボタンが押下されたことを認識したときはステップＳＡ１３へ移行する。
【００３４】
ＳＡ１３、「訂正」ボタンが押下されたことを認識した主制御部４は、顧客操作部７の画面に選択された項目に応じた振込取引データ訂正画面を表示する。
例えば、訂正する項目として振込先金融機関名が選択されている場合は、主制御部４は顧客操作部７の画面に上記ステップＳＡ６で説明した振込先入力画面の各表示欄にステップＳＡ６で入力された金融機関名等を表示し、選択された項目の表示色を変更した振込取引データ訂正画面を表示し、顧客はカナ文字キー等によって振込先金融機関名を再入力して「確認」ボタンを押下する。
【００３５】
「確認」ボタンが押下されたことを認識した主制御部４は、ステップＳＡ１１へ戻り、再入力された金融機関名等を表示した振込取引データ確認画面を顧客操作部７の画面に再表示し、振込情報確認画面から「確認」ボタンが押下された時にステップＳＡ１２によりステップＳＡ１４へ移行する。他の項目が選択された場合も同様である。
ＳＡ１４、振込取引データが確定されたことを認識した主制御部４は、確定された振込取引データを記憶部６に保存し、ホストコンピュータ２との間で振込取引の交信処理を実行する。
【００３６】
すなわち、主制御部４は、顧客操作部７の画面にしばらくの間の待機を促す旨を表示した待機依頼画面を表示する一方、取引カードのカード情報に入力された暗証番号および振込取引データ等を添付した振込取引電文を作成し、これを通信部５によって通信回線３を介してホストコンピュータ２へ送信する。
振込取引電文を受信したホストコンピュータ２は、振込取引電文に含まれるカード情報を基に顧客情報を検索して該当する顧客情報の暗証番号と振込取引電文の暗証番号を照合し、暗証番号が一致する場合は顧客を認証して顧客の口座から振込金額と振込手数料を引落して顧客の口座残高を更新し、振込取引データの振込先金融機関に対して振込取引データを添付して振込金額の入金を依頼する。
【００３７】
振込金額の入金を終えたホストコンピュータ２は、振込取引が成立した旨を振込取引結果通知電文として通信回線３を介して現金自動預払機１へ送信する。
なお、暗証番号が一致しない場合や口座残高が不足している場合には、それぞれの旨を添付した取引不成立の旨が振込取引結果通知電文として送信される。
ＳＡ１５、通信部５によって振込取引結果通知電文を受信した主制御部４は、振込取引結果通知電文が振込取引の成立の旨の場合はステップＳＡ１７へ、取引不成立の旨の場合はステップＳＡ１６へ移行する。
【００３８】
ＳＡ１６、振込取引が不成立であったこと判定した主制御部４は、顧客操作部７の画面に取引不成立の旨とこの確認を促す旨の文言および「確認」ボタン等を表示した取引不成立確認画面を表示し、顧客はその表示内容を確認して「確認」ボタンを押下する。
「確認」ボタンが押下されたことを認識した主制御部４は、取引カードの受取りを促す画面を表示すると共に取引カードをカード取扱部８によって排出し、顧客が受取ったことを確認して記憶部６に保存した振込取引データを消去し、振込取引処理を終了させて接続子Ａを介してステップＳＡ１へ戻り、顧客操作部７の画面に取引選択画面を表示して待機する。
【００３９】
ＳＡ１７、振込取引が成立したこと判定した主制御部４は、顧客操作部７の画面に図７に示す振込情報登録先選択画面を表示する。
振込情報登録先選択画面には、振込情報を登録しないことを指示するための「登録しない」ボタン、振込取引データを記録した振込カードの発行を指示するための「振込カード発行」ボタン、振込情報を携帯電話２０に転送して登録することを指示するための「携帯電話登録」ボタン等が表示される。本実施例では顧客は顧客操作部７の画面から「携帯電話登録」ボタンを押下する。
【００４０】
「携帯電話登録」ボタンが押下されたことを認識した主制御部４は、携帯電話２０の取引情報処理プログラムの取引情報登録サブプログラムを起動するために、自動起動命令と取引情報登録サブプログラム名等を記した自動起動指令を赤外線通信部１２によって携帯電話２０の携帯赤外線通信部２７へ直接送信する。
なお、「登録しない」ボタンが押下された場合には、主制御部４はステップＳＡ１９へ移行する。「振込カード発行」ボタンが押下された場合には、主制御部４は通常場合と同様にして振込カードを発行してステップＳＡ１９へ移行する。
【００４１】
ＳＫ１、自動起動指令を携帯赤外線通信部２７によって受信した携帯制御部２１は、受信した自動起動命令により取引情報処理プログラムを起動し、取引情報登録サブプログラム名を基に取引情報登録サブプログラムへ分岐して取引情報登録サブプログラムを起動すると共に、取引情報登録サブプログラムが起動した旨を起動終了通知として携帯赤外線通信部２７によって現金自動預払機１の赤外線通信部１２へ直接応答する。
【００４２】
ＳＡ１８、起動終了通知を赤外線通信部１２によって受信した主制御部４は、記憶部６に保存した振込取引データを読出し、これに取引種別（本実施例では振込取引）を加えて振込情報を作成し、これを赤外線通信部１２によって携帯赤外線通信部２７へ直接転送する。
ＳＡ１９、振込情報の転送を終えた主制御部４は、振込取引データ等を基に印刷データを作成してこれをカード取扱部８によって取引明細票に印刷し、顧客操作部７の画面に取引カードや取引明細票の受取りを促す旨の文言を表示して取引カードと取引明細票をカード取扱部８によって排出する。
【００４３】
その後、主制御部４は顧客が取引カードと取引明細票を受取ったことを確認し、記憶部６に保存した振込情報を消去して振込取引処理を終了させ、接続子Ａを介してステップＳＡ１へ戻り、顧客操作部７の画面に取引選択画面を表示して待機する。
ＳＫ２、一方、取引情報登録サブプログラムを起動して振込情報の転送を待って待機していた携帯制御部２１は、携帯赤外線通信部２７によって振込情報を受信した時にその振込情報を携帯表示部２５の画面に表示する。
【００４４】
携帯表示部２５の画面には、振込情報と表示された振込情報の登録を指示するときに押下する操作ボタン、振込情報の登録が不要なときに押下する操作ボタンの案内が表示される。顧客は登録の要否を携帯入力部２６の案内された操作ボタンを押下して入力する。
ＳＫ３、携帯制御部２１は押下された操作ボタンにより振込情報の登録の要否を判定し、振込情報の登録が必要な場合はステップＳＫ４へ移行する。登録が不要な場合には取引情報処理プログラムを終了させて本実施例の振込情報登録処理を終了させる。
【００４５】
ＳＫ４、振込情報の登録が必要と判定した携帯制御部２１は、取引情報登録エリアを参照してその空エリアを判定し、空エリアがない場合には取引情報登録エリアの登録済の取引情報を読出してステップＳＫ５へ移行する。空エリアがある場合にはステップＳＫ６へ移行する。
ＳＫ５、空エリアがないことを判定した携帯制御部２１は、携帯表示部２５の画面に上書きの可否を問う文言および読出した登録済の取引情報の取引種別とその代表項目、例えば取引種別が振込取引であれば「受取人氏名」、出金取引であれば「出金金額」の一覧表、並びに上書きを指示するときに押下する操作ボタン、振込情報の登録を取止めるときに押下する操作ボタンの案内を表示する。
【００４６】
顧客は上書きの可否を携帯入力部２６の案内された操作ボタンを押下して入力する。この場合に上書きを可とするときは上書きをする取引種別等を携帯入力部２６の十字キー等により選択した後にその上書きのための操作ボタンを押下する。
携帯制御部２１は、押下された操作ボタンにより上書きの可否を判定し、上書きが可能な場合はステップＳＫ６へ移行する。登録を取止める場合には取引情報処理プログラムを終了させて本実施例の振込情報登録処理を終了させる。
【００４７】
ＳＫ６、空エリアがあることを判定した、または上書きが可能なことを判定した携帯制御部２１は、携帯記憶部２４の取引情報登録エリアの空エリアまたは上書きのために選択された登録済のエリアに受信した振込情報を書込んで取引情報を登録する。
その後、携帯制御部２１は取引情報処理プログラムを終了させて本実施例の振込情報登録処理を終了させる。
【００４８】
なお、上記ステップＳＡ９において依頼人氏名等の入力を行う場合に、ホストコンピュータ２の顧客情報に顧客氏名や電話番号等を予め登録しておき、依頼人氏名等を登録されている顧客氏名等を用いる場合に依頼人入力画面にその入力を取止めて次のステップへ移行させる「次へ」ボタンを設けて依頼人氏名等の入力を省略するようにしてもよい。この場合に、ホストコンピュータ２は振込取引データに依頼人氏名等が省略されていることにより登録されている顧客氏名等を用いることを判断し、振込先金融機関に対して振込金額の入金を依頼するときにその登録されている顧客氏名等を添付するようにする。
【００４９】
また、上記は振込取引の場合を例に説明したが、取引種別として入金取引や出金取引が選択されたの場合も同様にしてその入金情報や出金情報が取引情報として携帯電話２０の携帯記憶部２４に必要に応じて登録される。
更に、携帯電話以外の方法、つまり上記手動入力の他、振込カードや登録データ等の方法で取引データが入力された場合に、その取引情報を携帯電話に転送して登録するようにしてもよい。
【００５０】
上記のようにして、取引情報が登録されている携帯電話２０を用いてその取引情報送信処理により振込取引を行う場合の作動について、図８に示す流れ図を用いステップに従って説明する。なおステップ名は携帯電話２０の場合をＳＫＡで、現金自動預払機１の場合をＳＡＡで表す。
ＳＡＡ１、現金自動預払機１の主制御部４は、上記ステップＳＡ１と同様にして図５に示す取引選択画面を表示して待機している。
【００５１】
ＳＡＡ２、顧客は顧客操作部７の画面から携帯電話２０による取引情報の入力を行うためにタッチパネルによって「携帯入力」ボタンを押下する。
「携帯入力」ボタンが押下されたことを認識した主制御部４は、携帯電話２０の取引情報処理プログラムの取引情報送信サブプログラムを起動するために、自動起動命令と取引情報送信サブプログラム名等を記した自動起動指令を上記ステップＳＡ１７と同様にして携帯電話２０へ直接送信して取引情報の着信を待って待機する。
【００５２】
ＳＫＡ１、自動起動指令を受信した携帯制御部２１は、上記ステップＳＫ１と同様にして取引情報処理プログラムを起動し、取引情報送信サブプログラムへ分岐してこれを起動する。
ＳＫＡ２、取引情報送信サブプログラムが起動すると、携帯制御部２１は携帯記憶部２４の取引情報登録エリアに登録されている取引情報を読出し、上記ステップＳＫ５と同様の取引情報の取引種別とその代表項目の一覧表および取引情報を送信するときに押下する操作ボタンの案内等を携帯表示部２５の画面に表示する。
【００５３】
顧客は、現金自動預払機１での取引に用いる取引情報（本実施例では振込情報）を携帯入力部２６の十字キー等により選択した後にその送信のための操作ボタンを押下する。
ＳＫＡ２、選択された振込情報を送信することを認識した携帯制御部２１は、その振込情報に携帯記憶部２４に格納されている顧客の個人情報を添付し、これを携帯赤外線通信部２７によって現金自動預払機１の赤外線通信部１２へ直接送信し、取引情報処理プログラムを終了させて本実施例の振込情報送信処理を終了させる。
【００５４】
ＳＡＡ３、取引情報の着信を待って待機していた主制御部４は、振込情報等を赤外線通信部１２によって受信した時にその振込情報等を記憶部６に保存すると共に、振込情報の取引種別によりその取引を振込取引と認識し、上記ステップＳＡ４と同様にして顧客操作部７に暗証番号入力画面を表示し、顧客はテンキー等によって暗証番号を入力する。
ＳＡＡ４、暗証番号の入力を認識した主制御部４は、この暗証番号の入力を受付けると共に顧客操作部７の画面に受信した振込情報の振込取引データを確定するために、上記ステップＳＡ１１と同様の振込取引データ確認画面を表示する。
【００５５】
顧客は振込取引データを訂正するときは訂正する項目を選択して「訂正」ボタンを押下する。表示内容を確認して振込取引データを確定するときは「確認」ボタンを押下する。
その後のステップＳＡＡ５〜ＳＡＡ７の作動は、上記ステップＳＡ１２〜ＳＡ１４の作動と同様であるのでその説明を省略する。この場合にホストコンピュータ２へは取引カードのカード情報に替えて上記ステップＳＡＡ３で記憶部６に保存した振込情報等から読出した個人情報が送信される。
【００５６】
ＳＡＡ８、通信部５によって振込取引結果通知電文を受信した主制御部４は、振込取引結果通知電文が振込取引の成立の旨の場合はステップＳＡＡ１０へ、取引不成立の旨の場合はステップＳＡＡ９へ移行する。
ＳＡＡ９、振込取引が不成立であったこと判定した主制御部４は、顧客操作部７の画面に取引不成立の旨とこの確認を促す旨の文言および「確認」ボタン等を表示した取引不成立確認画面を表示し、顧客はその表示内容を確認して「確認」ボタンを押下する。
【００５７】
「確認」ボタンが押下されたことを認識した主制御部４は、記憶部６に保存した振込情報等を消去し、振込取引処理を終了させて接続子Ａを介してステップＳＡ１へ戻り、顧客操作部７の画面に取引選択画面を表示して待機する。
ＳＡＡ１０、振込取引が成立したこと判定した主制御部４は、振込情報等を基に印刷データを作成してこれをカード取扱部８によって取引明細票に印刷し、顧客操作部７の画面に取引明細票の受取りを促す旨の文言を表示して取引明細票をカード取扱部８によって排出する。
【００５８】
その後、主制御部４は顧客が取引明細票を受取ったことを確認して記憶部６に保存した振込情報等を消去して振込取引処理を終了させ、接続子Ａを介してステップＳＡ１へ戻り、顧客操作部７の画面に取引選択画面を表示して待機する。
以上説明したように、本実施例では、現金自動預払機における取引の取引情報として赤外線通信により携帯電話に登録されている取引情報を直接送信してその取引データを入力できるようにしたことによって、暗証番号を入力するのみで現金自動預払機における取引を行うことができ、入力操作を簡易なものにすることが可能になり、取引時間を短縮して現金自動預払機の稼動効率を向上させることができると共に、一度登録した取引情報は何度でも読出して同様の取引を行うことができ、顧客の取引データの入力に伴う煩わしさを解消することができる。このことは特に振込取引の場合に有効である。
【００５９】
また、携帯電話の取引情報処理プログラムを現金自動預払機からの自動起動指令により自動的に起動するようにしたことによって、顧客は携帯電話の電源をＯＮにしておくだけで自動的に必要な画面を携帯表示部に表示することができ、顧客の利便性を向上させることができると共に、顧客による現金自動預払機の占有時間を短縮して現金自動預払機の稼動効率をさらに向上させることができる。
【００６０】
更に、個人情報を携帯電話に格納して現金自動預払機における取引に用いるようにしたことによって、取引カードの挿入が不要になり、取引時間の短縮を図ることができると共に顧客の利便性を向上させることができる。
更に、携帯電話からの取引情報の入力後に暗証番号を入力させるようにしたことによって、一般にキャッシュカードや通帳には口座番号が明記されているために特許文献１のように携帯電話の電話番号のみを用いて顧客の本人確認を行う場合に携帯電話とキャッシュカード等を共に紛失した場合に悪意の第３者がそれらを用いて不正行為の行う懸念を払拭して、たとえ口座番号等を格納した携帯電話が紛失したり、盗難にあったりしたとしても暗証番号を入力しなければ取引を行うことができないので、悪意の第３者の不正行為を防止することができると共に本自動取引システムの安全性を担保することができる。
【００６１】
上記に加えて、現金自動預払機により取引を行ったときにその取引情報を携帯電話に登録して一度入力した取引情報をその後の取引において利用できるようにしたことによって、同様の取引を複数回行う必要がある場合にはその取引情報をいつでも利用することができ、現金自動預払機における取引データの入力にかかる顧客の負担を軽減することができる。
【実施例２】
【００６２】
図９は実施例２の金融機関情報取得システムを示すブロック図である。
なお、本実施例の現金自動預払機１および携帯電話２０の構成は上記実施例１と同様である。また実施例１と同様の部分は同一の符号を付してその説明を省略する。
図９において、３１は金融機関等が共同で設置した振込先サーバであり、インターネット等の公衆網３２に接続して顧客の携帯電話２０と通信可能に構成されており、金融機関名をその最初の音を示す文字（開始音という。）で整理した金融機関名情報と、それぞれの金融機関等の支店名を金融機関等別に開始音で整理した支店名情報とを金融機関情報として格納する金融機関情報データベース３３を保有している。
【００６３】
なお、金融機関情報データベース３３の金融機関情報は金融機関等により定期的にまたは必要に応じて更新され、常に最新の金融機関情報が格納されるように構成されている。
また、振込先サーバ３１の設置場所は、全国を束ねて１箇所に設置するようにしてもよく、都道府県毎、都市毎またはこれらを複数まとめた広域の地域毎に設置するようにしてもよい。
【００６４】
本実施例の振込先サーバ３１には、予め携帯電話２０からの金融機関情報送信依頼に対して金融機関情報データベース３３から金融機関名情報や支店名情報を抽出して送信する機能を有する情報処理プログラムが格納されており、振込先サーバ３１が実行する情報処理プログラムの各ステップにより形成されるハードウェアとして各種の機能手段が形成される。
【００６５】
また、携帯電話２０の携帯記憶部２４には、実施例１の取引情報処理プログラムに振込先情報等の取引情報を事前に作成して携帯記憶部２４に格納する機能を有する事前入力サブプログラムを追加した取引情報処理プログラムが格納されており、携帯制御部２１と取引情報処理プログラムの各ステップにより形成されるハードウェアとして各種の機能手段が形成される。
【００６６】
また、携帯記憶部２４には、契約時等に顧客により設定された取引情報処理プログラムを起動するときに用いるパスワードおよび振込先サーバ３１と接続するときに用いる振込先サーバ３１のＵＲＬ（Ｕｎｉｆｏｒｍ  Ｒｅｓｏｕｒｃｅ  Ｌｏｃａｔｏｒ）が予め格納されている。
上記の構成の作用について説明する。
【００６７】
顧客が携帯電話２０を用いて取引情報としての振込情報を事前に入力して携帯記憶部２４に登録する場合を例に本実施例の取引情報事前入力処理について、図１０に示す流れ図を用いステップに従って説明する。なおステップ名は携帯電話２０の場合をＳＫＢで、振込先サーバ３１の場合をＳＦＢで表す。
ＳＫＢ１、顧客は金融機関等の店舗の現金自動預払機１での取引の前に、顧客が所有する携帯電話２０により取引情報処理プログラムを起動する。
【００６８】
ＳＫＢ２、取引処理プログラムが起動すると、携帯電話２０の携帯制御部２１は携帯表示部２５の画面にパスワードの入力を促す旨の文言とパスワード表示欄および入力の終了を指示するときに押下する操作ボタンの案内等を表示したパスワード入力画面を表示する。顧客は携帯入力部２６のテンキー等を用いて予め設定したパスワードを入力してその終了を指示する操作ボタンを押下する。
【００６９】
ＳＫＢ３、入力されたパスワードを認識した携帯制御部２１は、携帯記憶部２４に格納されているパスワードを読出して入力されたパスワードと照合し、これらのパスワードが一致していれば顧客を携帯電話２０の所有者と判定してステップＳＫＢ４へ移行する。パスワードが一致しない場合は取引情報処理プログラムを終了させて本実施例の取引情報事前入力処理を終了させる。
【００７０】
ＳＫＢ４、顧客を携帯電話２０の所有者と判定した携帯制御部２１は、携帯表示部２５の画面に取引情報処理プログラムの各処理を選択するための処理選択画面を表示する。
処理選択画面には、実施例１の取引情報登録処理や取引情報送信処理および本実施例の振込取引データや出金取引データの事前入力処理等の選択欄、並びにその選択の終了を指示するときに押下する操作ボタンの案内等が表示される。
【００７１】
顧客は、携帯入力部２６の十字キー等を用いて振込取引データの事前入力処理の選択欄を選択して終了を指示する操作ボタンを押下する。
振込取引データの事前入力処理が選択されたことを認識した携帯制御部２１は、事前入力サブプログラムへ分岐し、携帯記憶部２４に格納されている振込先サーバ３１のＵＲＬを読出して、これを記した金融機関情報送信依頼を無線通信部２２により公衆網３２を介して振込先サーバ３１へ送信する。
【００７２】
ＳＦＢ１、金融機関情報送信依頼の着信を待って待機していた振込先サーバ３１は、金融機関情報送信依頼を受信した時にその送信依頼を受付け、その送信依頼に金融機関名が添付されていないことにより新たな金融機関情報送信依頼と判定して金融機関情報データベース３３から開始音で整理された金融機関名情報を抽出し、これを公衆網３２を介して無線により送信元の携帯電話２０へ送信する。
【００７３】
ＳＫＢ５、振込先サーバ３１からの金融機関名情報を無線通信部２２により受信した携帯制御部２１は、金融機関名情報を携帯記憶部２４に格納すると共に携帯表示部２５の画面に振込先金融機関名入力画面を表示する。
振込先金融機関名入力画面には、金融機関名の開始音の入力方法の案内やその選択の終了を指示するときに押下する操作ボタンの案内等が表示され、顧客はテンキー等により振込先の金融機関名の開始音を入力してその終了を指示する操作ボタンを押下する。
【００７４】
入力された開始音を認識した携帯制御部２１は、次画面として受信した金融機関名情報の該当する開始音の金融機関名を一覧にしてその選択欄および選択の終了を指示するときに押下する操作ボタンの案内等を携帯表示部２５の画面に表示し、顧客は携帯入力部２６の十字キー等を用いて振込先の金融機関名の選択欄を選択してその終了を指示する操作ボタンを押下する。
【００７５】
振込先の金融機関名が選択されたことを認識した携帯制御部２１は、その金融機関名を添付した金融機関名選択終了通知を振込先サーバ３１のＵＲＬを記して無線通信部２２により公衆網３２を介して振込先サーバ３１へ送信する。
ＳＦＢ２、金融機関名選択終了通知を受信した振込先サーバ３１は、添付されている金融機関名を基に該当する金融機関等を特定し、金融機関情報データベース３３から該当する金融機関等の開始音で整理された支店名情報を抽出してこれを公衆網３２を介して送信元の携帯電話２０へ送信し、接続子Ｂを介してステップＳＦＢ１へ戻って金融機関情報送信依頼の着信を待って待機する。
【００７６】
ＳＫＢ６、振込先サーバ３１からの支店名情報を受信した携帯制御部２１は、支店名情報を携帯記憶部２４に格納すると共に携帯表示部２５の画面に振込先支店名入力画面を表示する。
振込先支店名入力画面には、支店名の開始音の入力方法の案内やその選択の終了を指示するときに押下する操作ボタンの案内等が表示され、顧客はテンキー等により振込先の支店名の開始音を入力してその終了を指示する操作ボタンを押下する。
【００７７】
入力された開始音を認識した携帯制御部２１は、次画面として受信した支店名情報の該当する開始音の支店名を一覧にしてその選択欄および選択の終了を指示するときに押下する操作ボタンの案内等を携帯表示部２５の画面に表示し、顧客は携帯入力部２６の十字キー等を用いて振込先の支店名の選択欄を選択してその終了を指示する操作ボタンを押下する。
【００７８】
ＳＫＢ７、振込先の支店名が選択されたことを認識した携帯制御部２１は、携帯表示部２５の画面に振込先口座等を入力するための振込先口座入力画面を表示する。
振込先口座入力画面には、振込先の口座番号とその科目の表示欄およびその入力の終了を指示するときに押下する操作ボタンの案内等が表示され、顧客は携帯入力部２６のテンキー等によって振込先の口座番号等を入力してその終了を指示する操作ボタンを押下する。
【００７９】
ＳＫＢ８、振込先口座番号名等が入力されたことを認識した携帯制御部２１は、携帯表示部２５の画面に受取人氏名を入力するための受取人入力画面を表示する。
受取人入力画面には、受取人氏名の表示欄および入力の終了を指示するときに押下する操作ボタンの案内等が表示され、顧客は携帯入力部２６のテンキー等によって受取人氏名を入力してその終了を指示する操作ボタンを押下する。
【００８０】
ＳＫＢ９、受取人氏名が入力されたことを認識した携帯制御部２１は、携帯表示部２５の画面に依頼人氏名等を入力するための依頼人入力画面を表示する。
依頼人入力画面には、依頼人氏名とその連絡先等の表示欄および入力の終了を指示するときに押下する操作ボタンの案内等が表示され、顧客は携帯入力部２６のテンキー等によって依頼人氏名等を入力してその終了を指示する操作ボタンを押下する。
【００８１】
この場合に、携帯記憶部２４に顧客氏名や電話番号等を格納しておき、依頼人氏名等を格納されている顧客氏名等を用いる場合に依頼人入力画面にその入力を取止めて次のステップへ移行させるときに押下する操作ボタンを案内して依頼人氏名等の入力を省略するようにしてもよい。このとき携帯制御部２１は携帯記憶部２４から読出した顧客氏名等を振込取引データの入力された依頼人氏名等として認識してステップＳＫＢ１０へ移行するようにする。
【００８２】
ＳＫＢ１０、依頼人氏名等が入力されたことを認識した携帯制御部２１は、携帯表示部２５の画面に振込金額入力画面を表示する。
振込金額入力画面には、振込金額表示欄および入力の終了を指示するときに押下する操作ボタンの案内等が表示され、顧客は携帯入力部２６のテンキー等によって振込金額を入力してその終了を指示する操作ボタンを押下する。
【００８３】
ＳＡ１１、振込金額が入力されたことを認識した携帯制御部２１は、入力された振込取引データを確定するために携帯表示部２５の画面に振込取引データ確認画面を表示する。
振込取引データ確認画面には、振込取引データの確認を促す旨の文言とその訂正の場合の操作方法、入力された振込取引データである振込先金融機関名とその支店名、振込先口座番号とその科目、受取人氏名、依頼人氏名とその連絡先および振込金額、並びに振込情報の訂正を指示するときに押下する操作ボタン、表示内容を確認したことを指示するときに押下する操作ボタンの案内等が表示される。
【００８４】
顧客は振込取引データを訂正するときは訂正する項目の表示欄を携帯入力部２６のテンキー等により選択して訂正を指示する操作ボタンを押下する。表示内容を確認して振込取引データを確定するときは確認を指示する操作ボタンを押下する。
ＳＡ１２、携帯制御部２１は確認を指示する操作ボタンが押下されたことを認識したときは振込取引データが確定されたとしてステップＳＫＢ１４へ、訂正を指示する操作ボタンが押下されたことを認識したときはステップＳＫＢ１３へ移行する。
【００８５】
ＳＫＢ１３、訂正を指示する操作ボタンが押下されたことを認識した携帯制御部２１は、携帯表示部２５の画面に選択された項目に応じた振込取引データ訂正画面を表示する。
例えば、訂正する項目として振込先金融機関名が選択されている場合は、携帯制御部２１は携帯表示部２５の画面に上記ステップＳＫＢ５で説明した振込先金融機関名入力画面にステップＳＫＢ５で入力された金融機関名を表示した振込取引データ訂正画面を表示し、顧客はテンキー等により再入力する振込先金融機関名の開始音を入力してその終了を指示する操作ボタンを押下する。
【００８６】
入力された開始音を認識した携帯制御部２１は、上記ステップＳＫＢ５と同様にして次画面として携帯記憶部２４に格納している金融機関名情報の該当する開始音の金融機関名の一覧等を携帯表示部２５の画面に表示し、顧客は再入力する振込先金融機関名の選択欄を選択してその終了を指示する操作ボタンを押下する。
終了を指示する操作ボタンが押下されたことを認識した携帯制御部２１は、再入力された振込先の金融機関名を添付した金融機関情報送信依頼を無線通信部２２により公衆網３２を介して振込先サーバ３１へ送信する。
【００８７】
金融機関情報送信依頼の着信を待って待機していた振込先サーバ３１は、金融機関情報送信依頼を受信した時にその送信依頼を受付け、その送信依頼に金融機関名が添付されていることにより支店名の訂正のための金融機関情報送信依頼と判定して上記ステップＳＦＢ２へ移行し、上記と同様にして抽出した支店名情報を送信元の携帯電話２０へ送信し、接続子Ｂを介してステップＳＦＢ１へ戻って金融機関情報送信依頼の着信を待って待機する。
【００８８】
一方、振込先サーバ３１からの支店名情報を受信した携帯制御部２１は、上記ステップＳＫＢ６と同様にして振込先の支店名の選択を受付け、選択された支店名を認識してステップＳＫＢ１１へ戻り、再入力された金融機関名や支店名等を表示した振込取引データ確認画面を携帯表示部２５の画面に再表示し、確認を指示する操作ボタンが押下された時にステップＳＫＢ１２によりステップＳＫＢ１４へ移行する。
【００８９】
なお、支店名の訂正が選択された場合は、携帯制御部２１は携帯表示部２５の画面に上記ステップＳＫＢ６で説明した振込先支店名入力画面にステップＳＫＢ６で入力された金融機関名等を表示した振込取引データ訂正画面を表示し、上記ステップＳＫＢ６と同様にして振込先の支店名の選択を受付け、選択された支店名を認識してステップＳＫＢ１１へ戻り、再入力された支店名等を表示した振込取引データ確認画面を携帯表示部２５の画面に再表示し、確認を指示する操作ボタンが押下された時にステップＳＫＢ１２によりステップＳＫＢ１４へ移行する。他の項目が選択された場合も同様である。
【００９０】
ＳＫＢ１４、振込取引データが確定されたことを認識した携帯制御部２１は、確定された振込取引データにその取引種別に振込取引を記した振込情報を携帯記憶部２４の取引情報格納エリアに登録する。この場合に上記実施例１のステップＳＫ３〜ＳＫ５の作動を経た後に振込情報を登録するようにすれば顧客の利便性を更に向上することができる。
その後、携帯制御部２１は携帯記憶部２４の金融機関情報を消去し、取引情報処理プログラムを終了させて本実施例の取引情報事前入力処理を終了させる。
【００９１】
このようにして、事前に入力した取引情報を登録した携帯電話２０を用いても上記実施例１の取引情報送信処理により現金自動預払機１による振込取引を行うことができる。
以上説明したように、本実施例では、事前に取引情報を入力して登録するようにしたことによって、上記実施例１と同様の効果に加えて、携帯電話により振込先サーバから最新の金融機関情報を取得して取引情報を事前に入力するようにしたことによって、顧客は過去の振込情報の金融機関名等が変更された場合においても常に最新の金融機関情報により振込情報の登録を行うことができ、現金自動預払機で金融機関名等の間違いに対する訂正等を行う必要がなくなり、登録された振込情報による振込取引時の無用の混乱を未然に防止することができると共に、円滑な振込取引の入力操作により現金自動預払機における振込取引の取引時間の短縮を図ることができる。
【００９２】
また、携帯電話の取引情報処理プログラムの起動時にパスワードを入力させるようにしたことによって、携帯電話を紛失したり、盗難にあったりしたとしてもパスワードを入力しなければ取引情報を登録することができず、悪意の第３者の不正行為を防止することができる。
なお、上記各実施例では携帯端末は携帯電話であるとして説明したが、携帯端末は携帯電話に限らず、赤外線通信機能を有する電子システム手帳やパーソナル通信機等の携帯型情報機器であってもよい。この場合に無線通信による公衆網との接続機能を持たない機器の場合は電話回線等を介して公衆網に接続するようにしてもよい。
【００９３】
また、上記各実施例では、現金自動預払機と顧客の携帯端末である携帯電話との間の直接通信は赤外線通信により行うとして説明したが、この直接通信は無線を用いた近距離の無線通信であってもよい。
更に、取引情報処理プログラムには、取引情報登録サブプログラム、取引情報送信サブプログラムおよび事前入力サブプログラムが含まれるとして説明したが、これらのサブプログラムをそれぞれ独立のプログラムとして契約時等に金融機関等から携帯記憶部に格納して供給するようにしてもよい。
【００９４】
更に、取引情報登録サブプログラムや取引情報送信サブプログラムは、現金自動預払機からの指令により自動的に起動されるとして説明したが、顧客が携帯電話でそれぞれのサブプログラムを実施例２のステップＳＫＢ２〜ＳＫＢ４と同様にして起動した後に現金自動預払機との取引を行うようにしてもよい。これによりパスワードを知らなければ取引を行うことができなくなり、本自動取引システムの安全性を更に向上させることができる。
【００９５】
更に、自動取引装置は現金自動預払機として説明したが、マルチメディア端末や無人契約機等の予め取引情報等を作成しておけば取引時間を短縮することが可能な自動取引装置に本発明を適用すれば同様の効果を得ることができる。
【図面の簡単な説明】
【００９６】
【図１】実施例１の現金自動預払機を示すブロック図
【図２】実施例１の現金自動預払機を示す斜視図
【図３】実施例１の携帯電話を示すブロック図
【図４】実施例１の振込取引における取引情報登録処理を示す流れ図
【図５】実施例１の取引選択画面表示例
【図６】実施例１の振込取引データ入力方法選択画面表示例
【図７】実施例１の振込情報登録先選択画面表示例
【図８】実施例１の振込取引における取引情報送信処理を示す流れ図
【図９】実施例２の金融機関情報取得システムを示すブロック図
【図１０】実施例２の取引情報事前入力処理を示す流れ図
【符号の説明】
【００９７】
１    現金自動預払機
２    ホストコンピュータ
３    通信回線
４    主制御部
５    通信部
６    記憶部
７    顧客操作部
８    カード取扱部
８ａ  カード挿入口
９    通帳取扱部
９ａ  通帳挿入口
１０  紙幣入出金部
１０ａ  紙幣入出金口
１１  硬貨入出金部
１１ａ  硬貨入出金口
１２  赤外線通信部
２０  携帯電話
２１  携帯制御部
２２  無線通信部
２３  通話部
２４  携帯記憶部
２５  携帯表示部
２６  携帯入力部
２７  携帯赤外線通信部
３１  振込先サーバ
３２  公衆網
３３  金融機関情報データベース
【図１】
2005338964.tif 000003
【図２】
2005338964.tif 000004
【図３】
2005338964.tif 000005
【図４】
2005338964.tif 000006
【図５】
2005338964.tif 000007
【図６】
2005338964.tif 000008
【図７】
2005338964.tif 000009
【図８】
2005338964.tif 000010
【図９】
2005338964.tif 000011
【図１０】
2005338964.tif 000012